(57)【要約】【課題】施術者・被施術者の施術時の体勢を安定させる矯正補助具を提供する。【解決手段】矯正補助具１０は、被施術者４０が腰かける座部３０と、座部３０を所定の高さに支持するフレーム１２と、座部３０の後方に向けて延長形成され施術者１１０が乗るプレート本体５０と、座部３０の前方に向けて延長した水平部材６２と、その端部側から垂直方向に延長した垂直部材６６と、その端部に設けられた屈曲部６８からなる支持体と、被施術者４０の頸部４２の後ろ側にかける頸部バンド８０と、該頸部バンド８０の両端と、前記屈曲部６８の先端を接続する連結具８４及びロープ８８と、を備える。施術時は、施術者１１０がプレート本体５０に乗り、座部３０に腰かけて頸部後ろ側を頸部バンド８０で支えられた被施術者４０の腰椎部分４６や胸椎部分４８に、膝１１２を押し当てる。【選択図】図２
2018149039.tif 000002
【特許請求の範囲】
【請求項１】
腰椎又は胸椎の少なくとも一方を矯正するための矯正補助具であって、
矯正術を受ける被施術者が腰かける座部と、
該座部を所定の高さに支持するフレームと、
該フレームの底部に連接され、前記座部の後方へ延長形成された施術者が乗るプレート本体と、
前記フレームの底部に連結され、前記座部の前方へ延長した水平部材と、該水平部材の端部側に立設された垂直部材と、該垂直部材の端部から前記座部の幅方向の内側へ向けて屈曲した屈曲部と、からなる支持体と、
前記被施術者の頸部の後ろ側にかける頸部バンドと、
該頸部バンドの両端と、前記屈曲部の先端を接続する連結手段と、
を備えたことを特徴とする矯正補助具。
【請求項２】
前記プレート本体の両側端に、前記矯正補助具の設置面との段差を解消する傾斜面を有するスロープ部材を設けたことを特徴とする請求項１記載の矯正補助具。
【請求項３】
前記スロープ部材が、前記プレート本体に対して着脱可能であることを特徴とする請求項２記載の矯正補助具。
【請求項４】
前記フレームに、
前記座部に腰かけた被施術者の身体を固定する長さ調節可能な固定ベルト、
を設けたことを特徴とする請求項１〜３のいずれか一項に記載の矯正補助具。
【請求項５】
前記座部に腰かけた被施術者の両足を閉じた状態で固定する着脱可能な脚部バンド、
を設けたことを特徴とする請求項１〜４のいずれか一項に記載の矯正補助具。
【請求項６】
前記連結手段が、長さ調節可能又は弾性を有する素材からなることを特徴とする請求項１〜５のいずれか一項に記載の矯正補助具。
【請求項７】
前記座部及び支持体が、前記フレームに対して着脱可能であることを特徴とする請求項１〜６のいずれか一項に記載の矯正補助具。
【請求項８】
前記プレート本体に載置可能であって、前記施術者の乗る高さを調整するマット、
を少なくとも一つ以上設けたことを特徴とする請求項１〜７のいずれか一項に記載の矯正補助具。
【発明の詳細な説明】
【技術分野】
【０００１】
本発明は、腰椎や胸椎などの矯正術を補助するための矯正補助具に関するものである。
【背景技術】
【０００２】
腰椎や胸椎のゆがみやズレを矯正するための器具として、様々な器具が提案されている。例えば、下記特許文献１には、背受け面が水平面に対し、４０〜６０°の傾斜角に保持される背受け部材と、臀部受面が水平面に対し、１４０〜１５５°の傾斜角に保持される臀部受け部材とを備え、前記臀部受面に臀部が受けられた時、仙骨に当接して腰仙角が小さくなる方向に仙骨を付勢する弾性押圧部材が前記臀部受面の所定位置に設けられている腰椎矯正具が開示されている。また、下記特許文献２には、可塑性材料により一体成形で製造され、垂直方向に沿い上から下に背部支持板を備える携帯型で脊椎矯正機能を有する背もたれであって、背部支持板は上部及び下部を含むものが開示されている。上部と下部との接合箇所は、人体の背面胸椎の底端及び腰椎の頂端に隣接する関節部位の左右両側まで延伸されている。
【先行技術文献】
【特許文献】
【０００３】
【特許文献１】特開平８−３８５２７号公報
【特許文献２】特開２０１５−５８３４０号公報
【発明の概要】
【発明が解決しようとする課題】
【０００４】
前記特許文献１に記載の胸椎矯正具は、簡単な構造で、家庭などでも効率よく、かつ、介助者なく患者が一人で使用するものである。また、前記特許文献２に記載の背もたれは、薄く単純且つ多機能な構造設計により、ユーザーが椅子に使用する場合に十分な空間を確保するのみならず、頸椎，胸椎及び腰椎に対し、背もたれによる上から下にかけての正確かつ完全な支持を得るものである。
【０００５】
しかしながら、いずれの背景技術も、ユーザーないし患者が一人で使用することを想定するものである。腰椎や胸椎の矯正には、例えば、カイロプラクターのような施術者による正しい施術を行うことがより好ましい。というのは、ユーザーないし患者（以下「被施術者とする」）が一人で上述した器具を使用しても、必ずしも正しい使い方ができるとは限らず、各技術の効果を最大に発揮できるとは限らない。従って、施術者による施術と組み合わせて使用するための矯正補助具があれば好ましい。
【０００６】
本発明は、以上のような点に着目したもので、簡単な構成でありながら、施術者・被施術者の施術時の体勢を適切な状態に安定させることができる矯正補助具を提供することを、その目的とする。
【課題を解決するための手段】
【０００７】
本発明は、腰椎又は胸椎の少なくとも一方を矯正するための矯正補助具であって、矯正術を受ける被施術者が腰かける座部と、該座部を所定の高さに支持するフレームと、該フレームの底部に連接され、前記座部の後方へ延長形成された施術者が乗るプレート本体と、前記フレームの底部に連結され、前記座部の前方へ延長した水平部材と、該水平部材の端部側に立設された垂直部材と、該垂直部材の端部から前記座部の幅方向の内側へ向けて屈曲した屈曲部と、からなる支持体と、前記被施術者の頸部の後ろ側にかける頸部バンドと、該頸部バンドの両端と、前記屈曲部の先端を接続する連結手段と、を備えたことを特徴とする。
【０００８】
主要な形態の一つは、前記プレート本体の両側端に、前記矯正補助具の設置面との段差を解消する傾斜面を有するスロープ部材を設けたことを特徴とする。他の形態の一つは、前記スロープ部材が、前記プレート本体に対して着脱可能であることを特徴とする。
【０００９】
更に他の形態の一つは、前記フレームに、前記座部に腰かけた被施術者の身体を固定する長さ調節可能な固定ベルト、を設けたことを特徴とする。更に他の形態の一つは、前記座部に腰かけた被施術者の両足を閉じた状態で固定する着脱可能な脚部バンド、を設けたことを特徴とする。更に他の形態の一つは、前記連結手段が、長さ調節可能又は弾性を有する素材からなることを特徴とする。
【００１０】
更に他の形態の一つは、前記座部及び支持体が、前記フレームに対して着脱可能であることを特徴とする。更に他の形態の一つは、前記プレート本体に載置可能であって、前記施術者の乗る高さを調整するマット、を少なくとも一つ以上設けたことを特徴とする。本発明の前記及び他の目的，特徴，利点は、以下の詳細な説明及び添付図面から明瞭になろう。
【発明の効果】
【００１１】
本発明によれば、腰椎又は胸椎の少なくとも一方を矯正するための矯正補助具であって、矯正術を受ける被施術者が腰かける座部と、該座部を所定の高さに支持するフレームと、該フレームの底部に連接され、前記座部の後方へ延長形成された施術者が乗るプレート本体と、前記フレームの底部に連結され、前記座部の前方へ延長した水平部材と、該水平部材の端部側に立設された垂直部材と、該垂直部材の端部から前記座部の幅方向の内側へ向けて屈曲した屈曲部と、からなる支持体と、前記被施術者の頸部の後ろ側にかける頸部バンドと、該頸部バンドの両端と、前記屈曲部の先端を接続する連結手段と、を備えることとした。このため、前記施術者がプレート本体に乗り、座部に腰かけて頸部後ろ側を頸部バンドで支えられた被施術者の腰椎や頸椎に膝を当てて施術するにあたり、施術者・被施術者ともに、施術時の体勢を適切な状態に保つように施術を補助することができる。
【図面の簡単な説明】
【００１２】
【図１】本発明の実施例１の矯正補助具を背面側から見た外観斜視図であって、(A)は矯正補助具のみを示す図，(B)は被施術者が腰かけた状態を示す図である。
【図２】前記実施例の矯正補助具の使用状態を示す図であり、(A)は腰椎矯正における使用状態を示す図，(B)は胸椎矯正における使用状態を示す図である。
【図３】前記実施例１の矯正補助具の梱包（ないし収納）の一例を示す図である。
【発明を実施するための形態】
【００１３】
以下、本発明を実施するための最良の形態を、実施例に基づいて詳細に説明する。
【実施例１】
【００１４】
最初に、図１〜図３を参照しながら、本発明の実施例１を説明する。本発明は、カイロプラクティックなどの施術により、腰椎や胸椎のゆがみやズレの矯正を行うときに使用される補助具である。図１は、本実施例の矯正補助具を被施術者の背面側から見た外観斜視図であって、(A)は矯正補助具のみを示す図，(B)は被施術者が腰かけた状態を示す図である。図２は、本実施例の矯正補助具の使用状態を示す図であり、(A)は腰椎矯正における使用状態を示す図，(B)は胸椎矯正における使用状態を示す図である。図３は、本実施例の矯正補助具の梱包（ないし収納）の一例を示す図である。
【００１５】
図１(A)及び(B)に示すように、矯正補助具１０は、被施術者４０が腰かける座部３０と、該座部３０を支持するフレーム１２と、該フレーム１２から後方に延長形成されたプレート本体５０と、前記フレーム１２から前方に延長・立設された支持体６０と、該支持体６０に連結されるとともに、前記被施術者４０の頸部４２の後ろ側（ないし後頭部）を受ける頸部バンド８０により構成されている。
【００１６】
前記フレーム１２は、底部フレーム１４と、一対の湾曲した略Ｕ字状の側部フレーム１６，２０と、これら一対の側部フレーム１６，２０の前方（被施術者４０が腰かけたときに身体の正面が向く方向）にわたって設けられた横フレーム２４と、前記一対の側部フレーム１６，２０の後方（被施術者４０が腰かけたときに身体の背面が向く方向）にわたって設けられた横フレーム２６により構成されている。前記底部フレーム１４は、一対の略平行な縦フレーム１４Ａ，１４Ｂと、これら縦フレーム１４Ａ，１４Ｂの先端にかけて設けられた横フレーム１４Ｃと、前記縦フレーム１４Ａ，１４Ｂの長さの中間位置付近に設けられた横フレーム１４Ｄにより構成されている。一方の側部フレーム１６は、前記縦フレーム１４Ａ上に設けられており、他方の側部フレーム２０は、他方の縦フレーム１４Ｂ上に設けられている。これら側部フレーム１６，２０の内側には、側面板１８，２２が設けられている。
【００１７】
前記座部３０は、被施術者４０が腰かけるためのものであり、前記フレーム１２によって、施術に適した所定の高さに支持されている。本実施例では、前記座部３０は、図３(B)に示すように、フレーム１２に対して着脱可能となっている。図３(B)に示すように、前記フレーム１２の横フレーム２４，２６には、穴２５が形成された固定部２４Ａ，２４Ｂ，２６Ａ，２６Ｂが設けられている。これらの固定部の穴２５に、ネジ２８を通し、前記座部３０の底面に形成された図示しないネジ穴に螺合することで、座部３０が前記フレーム１２に固定される。
【００１８】
前記フレーム１２の後方には、施術者１１０（図２参照）が乗るためのプレート本体５０が設けられている。該プレート本体５０は、前記底部フレーム１４の一対の縦フレーム１４Ａ，１４Ｂに固定されており、例えば、鉄板が使用される。なお、前記縦フレーム１４Ａ，１４Ｂの高さを約３０ｍｍとし、これら縦フレーム１４Ａ，１４Ｂに乗る部分の鉄板の厚さを３ｍｍとした場合、プレート本体５０の上面は、設置面１４０と約３３ｍｍの段差が生じる。そこで、本実施例では、前記プレート本体５０の両側端に、前記設置面１４０との段差を解消するための傾斜面を有するスロープ板５２，５４を設けている。本実施例では、前記スロープ板５２，５４は、前記プレート本体５０に対して着脱可能となっている。
【００１９】
このように、鉄板からなるプレート本体５０の両側にスロープ板５２，５４を設けることにより、揺れないように適度な重さを確保しながら、段差を解消し、施術者１１０の足元の安全を確保することができる。また、このような構成とすることにより、揺れがなくなり、図２(A)に示すように、施術者１１０が乗って、被施術者４０の身体を押したり、引き上げたりするような動作を行っても、プレート本体５０の重さと施術者１１０の自重により、施術中に矯正補助具１０が浮き上がってしまうことを防止できる。前記プレート本体５０の前後方向の長さＬ（図１(B)参照）は、例えば、４６ｃｍ程度であり、幅Ｗ（図１(B)参照）は、前記座部３０の幅に合わせて、例えば、４８ｃｍ程度に設定される。
【００２０】
更に、前記フレーム１２の前方には、前記被施術者４０の頸部４２の後ろ側を支える頸部バンド８０を取り付けるための支持体６０が設けられている。該支持体６０は、図示の例では、底部フレーム１４の一方の縦フレーム１４Ａ（図１(B)における右側）に、該縦フレーム１４Ａから前方に伸びるように固定された水平部材６２と、該水平部材６２の先端側に立設される垂直部材６６と、これら水平部材６２と垂直部材６６を連結する連結部材６４とにより構成される。前記水平部材６２と連結部材６４の固定は、図示しないボルト・ナットなどの公知の各種の手段で行われる。また、水平座部材６２の先端の下側には、アジャスター７２が設けられており、設置面１４０に対して水平を保つように調整可能となっている。連結部材６４と垂直部材６６の連結についても同様である。前記垂直部材６６の先端は、前記座面３０の幅方向と平行になるように、内側に向けて屈曲された屈曲部６８が形成されている。該屈曲部６８には、後述するロープ８８を通すための貫通孔６９が形成されている。
【００２１】
一方、前記頸部バンド８０は、図１(A)に示すように、被施術者４０の頸部４２から必要に応じて後頭部を覆うような幅に設定されており、長さは、両端部８０Ａ，８０Ｂが、被施術者４０の顔正面よりも前方にくる程度の長さに設定されている。前記頸部バンド８０の端部８０Ａ，８０Ｂには、略リング状の金具８２Ａ，８２Ｂが設けられている。前記頸部バンド８０と前記支持体６０は、連結具８４とロープ８８からなる連結手段により連結されている。前記金具８２Ａ，８２Ｂには、連結具８４の両端に設けられた金具８４Ａ，８４Ｂが着脱可能に装着される。そして、前記連結具８４の中央の突起部８４Ｃには、前記ロープ８８が、金具８６及びフック付きのアジャスター８９を介して取り付けられる。前記ロープ８８は、アジャスター８９により長さ調節が可能となっている。
【００２２】
なお、前記ロープ８８の一方の端部８８Ａは、前記屈曲部６８の貫通孔６９を通り、反対側で適宜手段により固定されている。また、ロープ８８自体の長さを調節可能にしたり、ロープ８８自身を多少の弾性を有する素材で形成したりすることで、被施術者４０の体形に合わせた適切な位置で、頸部バンド８０により頸部４２を支持することができる。なお、前記ロープ８８の固定方法等は一例であって、同様の効果を奏する範囲内で適宜設計変更してよい。
【００２３】
また、本実施例では、前記フレーム１２には、被施術者４０の身体を座部３０に固定するための固定ベルト９０が設けられている。固定ベルト９０は、一対の側部フレーム１６，２０の上部に一端が固定されたベルト９２，９４と、これらベルト９２，９４を長さ調節可能に締結する金具９６，９８により構成されている。金具９６，９８によるベルトの長さ調節機構や、締結・締結解除機構は公知である。これにより、前記被施術者４０の体形に合わせて、足の付け根部分４４に固定ベルト９０をかけて固定することができる。
【００２４】
更に、本実施例では、図１(B)に示すように、被施術者４０の両足が開かないように固定する脚部バンド１００を必要に応じて利用する。前記脚部バンド１００は、全体又は一部にゴムなどを使用したものであってもよいし、図示しない面テープ等により長さ調節可能なものなど、足を開かないように固定できるものであればよい。
【００２５】
次に、図２を参照しながら、本実施例の矯正補助具１０を使用した矯正の様子を示す。まず、図２(A)を参照して、腰椎の矯正に使用される場合を説明する。なお、必要に応じて矯正補助具１０は、設置面１４０にマット１３０を敷いた上に設置し、水平状態を保ったり、器具全体が滑らないように固定したりしてもよい。まず、被施術者４０が、図１(B)に示すように座部３０に腰かけ、固定ベルト９０で身体を固定し、更に、頸部バンド８０を頸部４２にかけて適切な位置に調節する。必要に応じて、脚部バンド１００を装着してもよい。これらバンドの装着は、被施術者４０自身で行うようにしてもよいし、施術者１１０が体形や位置等を確認しながら行うようにしてもよい。
【００２６】
そして、施術者１１０は、図２(A)に示すように、プレート本体５０に乗り、被施術者４０の胸の前で交差させた手を後方で引きながら、施術者１１０の膝１１２を、被施術者４０の腰椎部分４６へ押し当て、腰椎の矯正を行う。このとき、施術者１１０がプレート本体５０に乗っているため、自身の体重がおもしとなり、矯正補助具１０が浮いたり、位置ずれしたりすることがない。また、固定ベルト９０や、頸部バンド８０、脚部バンド１００による固定により、被施術者４０の位置も安定し、適切な位置に膝１１２を入れて矯正を行うことができる。
【００２７】
また、胸椎の矯正を行うときは、図２(B)に示すように、プレート本体５０上に、マット１２０Ａ，１２０Ｂを重ね、膝１１２が、被施術者４０の胸椎部分４８に当たるように高さを調節する。前記マット１２０Ａ，１２０Ｂは、例えば、一枚の高さが約４ｃｍとなっており、１枚で使用してもよいし、３枚以上使用してもよい。なお、マット１２０Ａ，１２０Ｂは、重ねた上に施術者１１０が乗ってもずれることがないように、表面を滑りにくい素材で形成すると都合がよい。このように、マット１２０Ａ，１２０Ｂを使用することにより、腰椎よりも高い位置にある胸椎の矯正であっても、適切な位置に膝１１２を当てることができる。
【００２８】
以上のような矯正補助具１０の梱包（ないし収納）時の一例を示す。例えば、図３(A)に示す組立状態から、図３(B)に示すように、フレーム１２から座部３０を外し、プレート本体５０からスロープ板５２，５４を取り外す。そして、支持体６０の水平部材６２も底部フレーム１４から取り外し、前記水平部材６２と連結部材６４との連結も解除する。そして、これら分解した各パーツを、図３(C)に示すように収納する。図３(C)は梱包ないし収納状態の一例であるが、例えば、水平部材６２を底部フレーム１４の縦フレーム１４Ｂに沿うように配置し、連結部材６４及び垂直部材６６を他方の縦フレーム１４Ａ側に沿うように配置する。そして、取り外したスロープ板５２，５４を、プレート本体５０の上に載置し、更に、その上に、取り外した座部３０を載置する。この状態にしておけば、製品出荷時などの梱包ないし収納サイズを小さくすることができる。
【００２９】
このように、実施例１によれば、次のような効果がある。
(1)被施術者４０が腰かける座部３０と、座部３０を所定の高さに支持するフレーム１２と、該フレーム１２の底部から座部後方に向けて形成されたプレート５０と、前記フレーム１２の底部に連結され、水平部材６２と垂直部材６６と、該垂直部材６６の先端に形成された屈曲部６８とからなる支持体６０と、被施術者４０の頸部４２の後ろ側を受ける頸部バンド８０と、該頸部バンド８０と前記垂直部材６６の屈曲部６８とを接続する連結手段（連結具８４及びロープ８８）と、を設けることとした。このため、施術者１１０がプレート本体５０に乗り、座部３０に腰かけて頸部４２を頸部バンド８０で支えられた被施術者４０の矯正部位に、施術者１１０の膝１１２を当てて施術するにあたり、施術者１１０・被施術者４０ともに、施術時の体勢を適切な状態に安定されることができるとともに、使い勝手がよい。
【００３０】
(2)前記プレート本体５０の両側端に、取り外し可能なスロープ板５２，５４を設けることとしたので、設置面１４０とプレート本体５０との段差を解消することができ、施術者１１０の足下の安全を図ることができる。
(3)前記スロープ板５２，５４が、プレート本体５０に対して着脱可能であるとともに、支持体６０及び座部３０が、フレーム１２に対して着脱可能であるため、梱包状態ないし収納状態をコンパクトにすることができる。
(4)前記プレート本体５０にマット１２０Ａ，１２０Ｂを乗せて高さを調節することで、腰椎のみならず胸椎の矯正も適切な高さで行うことができる。
【００３１】
(5)前記フレーム１２に被施術者４０の身体を固定する固定ベルト９０を設けるとともに、必要に応じて脚部バンド１００も使用することとしたので、被施術者４０の身体を施術に適した位置に固定することができる。
(6)前記頸部ベルト８０と支持体６０を連結するロープ８８に、弾性を有するロープを使用することで、施術中に被施術者４０の過剰な負荷がかからないように、頸部４２を支持することができる。
(7)矯正補助具１０の下に、マット１３０を設けることとしたので、矯正補助具１０の水平性を保つとともに、位置ずれを起こさないように固定することができる。
【００３２】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。例えば、前記実施例で示したプレート本体５０を構成する鉄板の厚さや寸法も一例であり、同様の効果を奏する範囲内で適宜変更してよい。
(2)前記実施例で示した材料についても一例であり、同様の効果を奏する範囲内で、公知の各種の材料を用いてよい。
(3)前記実施例で示したフレーム１２の構造も一例であり、座部３０を所定の高さで支持できる構造であればよい。
【００３３】
(4)前記実施例で示した梱包ないし収納状態も一例であり、同様の効果を奏する範囲内で、梱包ないし収納形態は適宜変更してよい。
(5)前記実施例で示した頸部バンド８０とその連結機構も一例であり、同様の効果を奏する範囲内で適宜設計変更可能である。
(6)前記実施例で示した固定ベルト９０の取り付け位置も一例であり、側付フレーム１６，２０の上部ではなく、下部側であってもよい。むろん、他の位置に設けることを妨げるものではない。
(7)前記実施例では、腰椎の矯正と胸椎の矯正をわけて説明したが、実際の施術においては、これらを順次行うようにしてもよい。
【産業上の利用可能性】
【００３４】
本発明によれば、矯正術を受ける被施術者が腰かける座部と、該座部を所定の高さに支持するフレームと、該フレームの底部に連接され、前記座部の後方へ延長形成された施術者が乗るプレート本体と、前記フレームの底部に連結され、前記座部の前方へ延長した水平部材と、該水平部材の端部側に立設された垂直部材と、該垂直部材の端部から前記座部の幅方向の内側へ向けて屈曲した屈曲部と、からなる支持体と、前記被施術者の頸部の後ろ側にかける頸部バンドと、該頸部バンドの両端と、前記屈曲部の先端を接続する連結手段と、を備えることとした。このため、前記施術者がプレート本体に乗り、座部に腰かけて頸部後ろ側を頸部バンドで支えられた被施術者の腰椎や頸椎に膝を当てて施術するにあたり、施術者・被施術者ともに、施術時の体勢を適切な状態に保つように矯正術を補助することができるため、矯正補助具の用途に適用できる。特に、腰椎や胸椎の矯正の補助具の用途として好適である。
【符号の説明】
【００３５】
１０：矯正補助具
１２：フレーム
１４：底部フレーム
１４Ａ，１４Ｂ：縦フレーム
１４Ｃ，１４Ｄ：横フレーム
１６，２０：側部フレーム
１８：２２：側面板
２４，２６：横フレーム
２４Ａ，２４Ｂ，２６Ａ，２６Ｂ：固定部
２５：穴
２８：ネジ
３０：座部
４０：被施術者
４２：頸部
４４：足の付け根
４５：脚部
４６：腰椎部分
４８：胸椎部分
５０：プレート本体
５２，５４：スロープ板
６０：支持体
６２：水平部材
６４：連結部材
６６：垂直部材
６８：屈曲部
６９：貫通孔
７０：滑車
７２：アジャスター
８０：頸部バンド
８０Ａ，８０Ｂ：端部
８２Ａ，８２Ｂ：金具
８４：連結具
８４Ａ，８４Ｂ：金具
８４Ｃ：突起部
８６：金具
８８：ロープ
８８Ａ：端部
８９：アジャスター
９０：固定ベルト
９２，９４：ベルト
９６，９８：金具
１００：脚部バンド
１１０：施術者
１１２：膝
１２０Ａ，１２０Ｂ：マット
１３０：シート
１４０：設置面
【図１】
2018149039.tif 000003
【図２】
2018149039.tif 000004
【図３】
2018149039.tif 000005